(57)【要約】【課題】下方に向けて断面略門形に拡開した両脚片と、該両脚片のそれぞれの下端から対向して突設された両内向鍔片とをすくなくとも備えてなり、螺合により両脚片を緊締して、両内向鍔片を、ハゼ式折板屋根の頂面より突設した屋根板材重合基部に挟着させる構造とした折板屋根用取付具において、ハゼ式折板屋根に対して簡単かつ確実に取り付けることができる折板屋根用取付具を提供する。【解決手段】両内向鍔片５、５の一方の先端部に先端尖鋭な爪部６が形成され、他方の先端部に該爪部６に対応する凹所７が形成されている。【選択図】図１
2010196422.tif 000002
【特許請求の範囲】
【請求項１】
下方に向けて断面略門形に拡開した両脚片と、該両脚片のそれぞれの下端から対向して突設された両内向鍔片とをすくなくとも備えてなり、螺合により上記両脚片を緊締して、上記両内向鍔片を、ハゼ式折板屋根の頂面より突設した屋根板材重合基部に挟着させる構造とした折板屋根用取付具において、
上記両内向鍔片の一方の先端部に先端尖鋭な爪部が形成され、他方の先端部に該爪部に対応する凹所が形成されていることを特徴とする折板屋根用取付具。
【請求項２】
請求項１において、
上記両内向鍔片の先端部には、重ね式構造の折板屋根の頂面より突設したボルト体のネジ溝に食い込んで係止する切り起こし片がさらに形成されている折板屋根用取付具。
【請求項３】
請求項１または２において、
上記内向鍔片の先端部には、厚み方向に膨出したリブがさらに形成されている折板屋根用取付具。
【発明の詳細な説明】
【技術分野】
【０００１】
本発明は、折板屋根の上面に突設したハゼ部等の屋根板材重合基部に挟着させて取り付ける折板屋根用取付具に関する。
【背景技術】
【０００２】
一般に、折板屋根の上面には、例えばテレビアンテナ、空調機器などの各種機器や器具類を配設するために折板屋根用取付具が取り付けられている。
【０００３】
具体的には、この折板屋根用取付具は、下方に向けて断面略門形に拡開した本体部の両脚片に、ボルトを貫通したうえでナットを螺合し、緊締して前記両脚片を近接させ、前記両脚片の下端から内方に向けて突設された内向鍔片を、折板屋根のハゼ部に挟着させて取り付ける。
【０００４】
これらハゼ部は、分割された長尺の折板屋根を幅方向に連結するための連結部分であり、例えば、折板屋根の山部の頂面より突出された断面略円状の丸ハゼや、断面略Ｌ状の角ハゼ等のハゼ部があり、これらハゼ部の脚部（屋根板材が重合してなる基部）に上記内向鍔片を挟着させて取り付けるものである（例えば、特許文献１参照。）。
【先行技術文献】
【特許文献】
【０００５】
【特許文献１】特許第３３６８３７４号
【発明の概要】
【発明が解決しようとする課題】
【０００６】
しかしながら、このような内向鍔片の構造では、内向鍔片がハゼ部の脚部に対して滑ることがあり、確実に折板屋根用取付具を取り付けることについて限界があるという問題があった。
【０００７】
本発明は、かかる課題を解決することを目的とし、折板屋根に対して簡単で、強固かつ確実に取り付けることができる折板屋根用取付具を提供することを目的としている。
【課題を解決するための手段】
【０００８】
上記目的を達成するため、請求項１に係る折板屋根用取付具は、下方に向けて断面略門形に拡開した両脚片と、該両脚片のそれぞれの下端から対向して突設された両内向鍔片とをすくなくとも備えてなり、螺合により上記両脚片を緊締して、上記両内向鍔片を、ハゼ式折板屋根の頂面より突設した屋根板材重合基部に挟着させる構造とした折板屋根用取付具において、上記両内向鍔片の一方の先端部に先端尖鋭な爪部が形成され、他方の先端部に該爪部に対応する凹所が形成されていることを特徴とする。
【０００９】
請求項２に係る折板屋根用取付具は、請求項１において、上記両内向鍔片の先端部には、重ね式構造の折板屋根の頂面より突設したボルト体のネジ溝に食い込んで係止する切り起こし片がさらに形成されている。
【００１０】
請求項３に係る折板屋根用取付具は、請求項１または２において、上記内向鍔片の先端部には、厚み方向に膨出したリブがさらに形成されている。
【発明の効果】
【００１１】
本発明によれば、次のような効果がある。
【００１２】
請求項１に係る折板屋根用取付具によれば、両内向鍔片の一方に先端尖鋭な爪部が形成され、他方に該爪部に対応する凹所が形成されているので、爪部の先端を屋根板材重合基部に食い込ませてハゼ部への取り付けを強固にすることができる。また、上記のような効果を得るためには、爪部および凹所として、わずかな凹凸を従来のものに付加形成するだけで十分であるため、折板屋根用取付具の他部を設計変更する必要はなく、設計、製造も容易に行える。
【００１３】
また、爪部および凹所は両内向鍔片の先端部の辺縁の一部に小さく、かつ簡易な形状に形成しただけで構成できるため、爪部、凹所を形成していない箇所に、例えば重ね式構造の折板屋根のボルト体を強固に挟着させるための切り起こし片（ボルト体のネジ溝に対する係止片）を形成することができる。
【００１４】
請求項２に係る折板屋根用取付具によれば、重ね式構造の折板屋根の頂面より突設したボルト体を挟着させるための切り起こし片がさらに形成されているので、ハゼ式折板屋根のみならず、重ね式構造の折板屋根に対しても強固に取り付けることができ、ハゼ式および重ね式構造の折板屋根に対する兼用品として利用できる。
【００１５】
請求項３に係る折板屋根用取付具によれば、内向鍔片の先端部には、厚み方向に膨出したリブが形成されているので、内向鍔片をハゼ部の屋根板材重合基部に挟持して取り付けた際、リブによって内向鍔片の強度が増加するため、さらに強固に固定できる。
【図面の簡単な説明】
【００１６】
【図１】本発明に係る折板屋根用取付具Ａの一実施例を示す分解斜視図である。
【図２】（ａ）、（ｂ）は、図１で示した折板屋根用取付具Ａの施工状態を示す断面図である。
【図３】（ａ）、（ｂ）は図１で示した折板屋根用取付具Ａの施工状態を示す断面図、（ｃ）は（ａ）、（ｂ）の符号Ｚに相当する部分の拡大断面図である。
【図４】本発明に係る折板屋根用取付具Ａの他の実施例を示す分解斜視図である。
【図５】（ａ）、（ｂ）は、図４で示した折板屋根用取付具Ａの施工状態を示す断面図である。
【図６】（ａ）、（ｂ）は、図４で示した折板屋根用取付具Ａの施工状態を示す断面図である。
【図７】本発明に係る折板屋根用取付具Ａにおいてリブを形成した実施例を示す分解斜視図である。
【図８】爪部６と凹所７の変形例を示す分解斜視図である。
【発明を実施するための形態】
【００１７】
以下、本発明に係る折板屋根用取付具Ａを図面とともに説明する。
【実施例１】
【００１８】
図１は、本発明に係る折板屋根用取付具Ａの一実施例を示す分解斜視図であり、図２（ａ）、（ｂ）および図３（ａ）、（ｂ）は、図１で示した折板屋根用取付具Ａの施工状態を示す断面図、（ｃ）は（ａ）、（ｂ）の符号Ｚに相当する部分の拡大断面図である。
【００１９】
なお、図２（ａ）は、折板屋根用取付具Ａをハゼ式折板屋根Ｙに取り付ける前の状態を示す断面図、図２（ｂ）は、折板屋根用取付具Ａをハゼ式折板屋根Ｙのハゼ部Ｂに取り付けた状態を示す断面図、図３（ａ）は、折板屋根用取付具Ａをハゼ式折板屋根Ｙのハゼ部Ｂに取り付けた状態を示す断面図、図３（ｂ）は、取り付けた折板屋根用取付具Ａに各種機器や器具類をさらに取り付けた状態を示す断面図を各々示している。
【００２０】
以下、詳説する。
【００２１】
すなわち、本実施例では、図１〜図３で示した折板屋根用取付具Ａを用いて、ハゼ式折板屋根Ｙの連結構造として、ハゼ式折板屋根Ｙの上面に断面略円状に突出された丸ハゼ型のハゼ部Ｂによって連結されたものについて説明している。このハゼ部Ｂは、両屋根板材がハゼ式折板屋根Ｙの頂面Ｙ１より重合、突設してなる屋根板材重合基部Ｂ１を介して、その先端で結合された構造となっている。なお、ハゼ式折板屋根Ｙの上面に断面略Ｌ状に突出された角ハゼ等ついては説明を省略するが、このような角ハゼ等についても同様である。
【００２２】
本発明の折板屋根用取付具Ａは、下方に向けて断面略門形に拡開した両脚片２と、該両脚片２のそれぞれの下端から対向して突設された両内向鍔片５とを備えている。また、両内向鍔片５の一方の先端部に先端尖鋭な爪部６が形成され、他方の先端部に該爪部６に対応する凹所７が形成されている。そして、折板屋根用取付具Ａは、ボルト３とナット４との螺合により両脚片２を緊締して、両内向鍔片５を、ハゼ式折板屋根Ｙのハゼ部Ｂに形成された屋根板材重合基部Ｂ１に挟着させる構造としている。
【００２３】
そのため、本発明の折板屋根用取付具Ａをハゼ部Ｂに取り付ける場合には、両脚片２の下端から内方に向けて突設された内向鍔片５の先端部の爪部６と凹所７とを、ハゼ式折板屋根Ｙのハゼ部Ｂに形成された屋根板材重合基部Ｂ１に挟着させて取り付けることとなる。
【００２４】
具体的には、折板屋根用取付具Ａの本体部１は、金属板または硬質樹脂板を、下方に向けて拡開した断面略コ状に形成し、対向する両脚片２には、ボルト３の軸部３１が貫通可能な軸孔２１を各々開設している。なお、ナット４は、該ナット４のネジ溝４１を一方の軸孔２１に連続するように予め溶接等によって固着しておくことも可能である。
【００２５】
また、両脚片２を架設する本体部１の上板１１中央には、剣先ボルト１２等を立設し、後述する各種機器や器具類を取り付け可能にしている。
【００２６】
両脚片２の下端には、内方に向けて各々内向鍔片５を突設しており、これら内向鍔片５の先端部間には、ハゼ部Ｂに形成された屋根板材重合基部Ｂ１が嵌挿する程度の隙間５１を設けている。
【００２７】
このような内向鍔片５の先端部には、ハゼ部Ｂに形成された屋根板材重合基部Ｂ１の外周面に挟着可能な爪部６と凹所７とが形成されている。
【００２８】
爪部６は、内向鍔片５の先端部をＶ字状に突出させて形成している。また、凹所７は、内向鍔片５の先端部をＶ字状に切り欠いて形成している。
【００２９】
このような爪部６と凹所７とを内向鍔片５の先端部に形成することで、内向鍔片５をハゼ部Ｂに形成された屋根板材重合基部Ｂ１の外周面に挟着して取り付けた際、爪部６と凹所７とがハゼ部Ｂに形成された屋根板材重合基部Ｂ１に各々係止して強固に挟持でき、内向鍔片５によってハゼ部Ｂに形成された屋根板材重合基部Ｂ１をさらに確実かつ強固に取り付けできる。
【００３０】
このように、爪部６、凹所７は、それぞれ複数組を設けてもよいし、爪部６を両内向鍔片５に分散させてもよい。
【００３１】
また、図８のように、両方の内向鍔片５において、爪部６と凹所７とを混在させてもよい。
【００３２】
また、凹所７は、爪部６によって押し出された、屋根板材重合基部Ｂ１の膨出した部分の逃げ用の凹所となる。噛み合わせではないため、爪部６に合致した形状でなくてもよい。例えば、凹所７は、内向鍔片５の先端中央を半円状に切り欠くか、または、先端中央を角状に切り欠いて形成してもよい。
【００３３】
以上のように構成した本発明の折板屋根用取付具Ａは、以下の要領でハゼ式折板屋根Ｙに取り付けて使用する。
【００３４】
まず、両脚片２の軸孔２１の一方からボルト３の軸部３１を貫通したうえで、ボルト３の先端側からナット４を軽く締めて仮止め状態にしたうえで、ハゼ式折板屋根Ｙに立設されたハゼ部Ｂの上方から、両脚片２の隙間５１を通じてハゼ部Ｂを嵌挿する〔図２（ａ）、（ｂ）、参照。〕。
【００３５】
次に、仮止め状態にしていたボルト３およびナット４を緊締すると、この締め付け力によって両脚片２が近接して、両脚片２下端の内向鍔片５も互いに近接し、この両内向鍔片５が、ハゼ部Ｂの屋根板材重合基部Ｂ１を挟持する。もっとも、本実施例では、内向鍔片５の先端部に爪部６と凹所７とを形成しているため、内向鍔片５にて屋根板材重合基部Ｂ１を強固に挟持して本体部１をハゼ部Ｂの屋根板材重合基部Ｂ１に取り付けることができる〔図３（ａ）、参照。〕。
【００３６】
そして、この取り付けた折板屋根用取付具Ａの本体部１の上板１１に立設された剣先ボルト１２等に、従来同様にして各種機器や器具類Ｄ等を取り付けて施工を完了する〔図３（ｂ）、参照。〕。
【００３７】
このとき、つまりボルト３およびナット４を緊締した状態（図３（ａ）、（ｂ）参照）では、図３（ｃ）に示すように、爪部６が屋根板材重合基部Ｂ１を形成する一方の屋根板材に食い込んで膨出し、さらにそれによって他方の屋根板材が膨出し、その膨出した膨出部Ｙ２が凹所７に入り込む。
【００３８】
以上、本実施例で説明した通り、本発明の折板屋根用取付具Ａによれば、両内向鍔片５の一方の先端部に先端尖鋭な爪部６が形成され、他方の先端部に該爪部６に対応する凹所７が形成されているので、爪部６の先端を屋根板材重合基部Ｂ１に食い込ませてハゼ部Ｂへの取り付けを強固にすることができる。
【００３９】
また、爪部６および凹所７は、わずかな凹凸を従来使用されていた折板屋根用取付具の内向鍔片の先端部を加工して形成できるため、従来の折板屋根用取付具の他部を設計変更する必要はない。
【００４０】
さらに、爪部６および凹所７が両内向鍔片５の先端部の辺縁の一部に小さく、かつ簡易な形状に形成しただけであるため、爪部６、凹所７を形成していない箇所に、例えば重ね式構造の折板屋根のボルト体を強固に挟着させるための切り起こし片（ボルト体のネジ溝に対する係止片）を付加形成することができる。重ね式構造の折板屋根にも対応した折板屋根用取付具を、実施例２に示す。
【実施例２】
【００４１】
次に、他の実施例として、折板屋根が重ね式構造であり、この重ね式構造の折板屋根Ｙ´の頂面Ｙ１より上方に突設したボルト体Ｃに、本発明の他の実施例に係る折板屋根用取付具Ａを取り付ける場合について説明する。
【００４２】
図４は、折板屋根用取付具Ａの他の実施例を示す分解斜視図であり、図５（ａ）、（ｂ）および図６（ａ）、（ｂ）は、図４で示した折板屋根用取付具Ａの施工状態を示す断面図である。
【００４３】
なお、図５（ａ）は、折板屋根用取付具Ａを重ね式構造の折板屋根Ｙ´に取り付ける前の状態を示す断面図、図５（ｂ）は、折板屋根用取付具Ａを折板屋根Ｙ´のボルト体Ｃに嵌挿した状態を示す断面図、図６（ａ）は、折板屋根用取付具Ａを折板屋根Ｙ´のボルト体Ｃに取り付けた状態を示す断面図、図６（ｂ）は、取り付けた折板屋根用取付具Ａに各種機器や器具類をさらに取り付けた状態を示す断面図を各々示している。
【００４４】
ここで、図１〜図３と共通する部位には、同一の符号を付して、重複する説明を省略するものとする。
【００４５】
この折板屋根用取付具Ａは、両内向鍔片５の先端部に設けた切り起し片６１により、ハゼ式折板屋根のハゼ部に対してだけでなく、重ね式構造の折板屋根Ｙ´の頂面Ｙ１より突設したボルト体Ｃ等にも取り付け可能になっている。
【００４６】
この切り起こし片６１は、両内向鍔片５の先端部の辺縁の中央部分（爪部６、凹所７を形成していない箇所）に２条の切込溝によって形成した片を斜め上方に起立させて形成されたもので、これらの対向する両切り起こし片６１、６１によって、それらの間に配したボルト体Ｃを挟持する構造となっている。
【００４７】
本発明の折板屋根用取付具Ａは、以下の要領で重ね式構造の折板屋根Ｙ´に取り付けて使用する。
【００４８】
まず、両脚片２の軸孔２１の一方からボルト３の軸部３１を貫通したうえで、ボルト３の先端側からナット４を軽く締めて仮止め状態にしたうえで、折板屋根Ｙ´に立設されたボルト体Ｃの上方から、両脚片２の隙間５１を通じてボルト体Ｃを嵌挿する〔図５（ａ）、（ｂ）、参照。〕。
【００４９】
次に、仮止め状態にしていたボルト３およびナット４を緊締すると、この締め付け力によって両脚片２が近接して、両脚片２下端の内向鍔片５も互いに近接し、この内向鍔片５がボルト体Ｃの外周面に挟着してボルト体Ｃを挟持する。もっとも、本実施例では、内向鍔片５の切り起し片６１の先端がボルト体Ｃのネジ溝Ｃ１に各々食い込んで、ボルト体Ｃを複数の位置で係止できるため、内向鍔片５にてボルト体Ｃを強固に挟持して本体部１をボルト体Ｃに確実に取り付けできる〔図６（ａ）、参照。〕。
【００５０】
そして、この取り付けた折板屋根用取付具Ａの本体部１の上板１１に立設された剣先ボルト１２等に、従来同様にして各種機器や器具類Ｄを取り付けて施工を完了する〔図６（ｂ）、参照。〕。
【００５１】
以上、本実施例で説明した通り、本発明の折板屋根用取付具Ａによれば、両内向鍔片５の一方の先端部に先端尖鋭な爪部６が形成され、他方の先端部に該爪部６に対応する凹所７が形成されているだけでなく、それぞれの先端部に切り起し片６１も備えているので、重ね式構造の折板屋根Ｙ´に対しても簡単かつ確実に取り付けできる。
【００５２】
すなわち、ハゼ式折板屋根Ｙ〔実施例１の図１等参照。〕の屋根板材重合基部Ｂ１〔図１等参照。〕を強固に挟着させるために設けた爪部６、凹所７は、両内向鍔片５の先端部の辺縁の一部に小さく、かつ簡易な形状に形成しただけであるため、本実施例の折板屋根用取付具Ａのように、重ね式構造の折板屋根Ｙ´のボルト体Ｃを強固に挟着させるための切り起こし片６１を爪部６、凹所７を形成していない箇所に形成することができ、その結果、本実施例のようにハゼ式および重ね式構造のいずれの構造の折板屋根に対する兼用品として構成することができ、１つの折板屋根用取付具Ａで、いずれの構造の折板屋根に対しても簡単かつ確実に取り付けができる。
【実施例３】
【００５３】
次に、本発明に係る折板屋根用取付具Ａの他の実施例について説明する。この折板屋根用取付具Ａは、実施例１と同様にハゼ式折板屋根Ｙに対して取り付けるものである。
【００５４】
図７は、本発明に係る折板屋根用取付具Ａにおいてリブを形成した実施例を示す分解斜視図である。折板屋根用取付具Ａの施工状態については、図２（ａ）、（ｂ）および図３（ａ）、（ｂ）の断面図で示した状態と同様である。
【００５５】
本実施例では、内向鍔片５の先端部には、厚み方向（図例では上方）に膨出したリブ５２を形成している。
【００５６】
このように、本実施例によれば、内向鍔片５の先端部には、厚み方向に膨出したリブ５２が形成されているので、内向鍔片５をハゼ部Ｂの屋根板材重合基部Ｂ１に挟持して取り付けた際、リブ５２によって内向鍔片５の強度が増加するため、さらに強固に固定できる〔図３（ａ）、参照。〕。また、リブ５２によって、内向鍔片５が緊締によって折れないように補強することができる。
【００５７】
本実施例では、リブ５２を爪部６および凹所７を形成した箇所以外の箇所に形成しているが、それには限定されず、爪部６および凹所７と同一箇所にリブ５２を設けることは可能である。
【００５８】
このようなリブ５２によれば、リブの一般的な効果である内向鍔片５の強化を図ることができるだけでなく、内向鍔片５の先端を肉厚に形成して内向鍔片５をハゼ部Ｂの屋根板材重合基部Ｂ１に挟持して取り付けた際、肉厚のリブ５２によってハゼ部Ｂの屋根板材重合基部Ｂ１との接触面積が増してさらに確実に取り付けできるという効果を得ることもできる。
【００５９】
以上、本実施例で説明した通り、本発明の折板屋根用取付具Ａによれば、内向鍔片５の先端に形成した爪部６と凹所７とリブ５２が、ハゼ部Ｂの屋根板材重合基部Ｂ１を確実に挟持して、折板屋根用取付具Ａをハゼ部Ｂに簡単かつ確実に取り付けできる。
【００６０】
なお、リブを設けた折板屋根用取付具としては、実施例２で示した、ハゼ式、重ね式構造の折板屋根のいずれにも対応できる折板屋根用取付具Ａ〔図４参照。〕の内向鍔片５に、さらにリブを設けた構成であってもよい。
【符号の説明】
【００６１】
Ａ    折板屋根用取付具
Ｂ    ハゼ部
Ｂ１    屋根板材重合基部
Ｙ    ハゼ式折板屋根
Ｙ´    重ね式構造の折板屋根
Ｙ１    頂面
１    本体部
２    両脚片
５    内向鍔片
５２  リブ
６    爪部
７    凹所
６１    切り起こし片
【図１】
2010196422.tif 000003
【図２】
2010196422.tif 000004
【図３】
2010196422.tif 000005
【図４】
2010196422.tif 000006
【図５】
2010196422.tif 000007
【図６】
2010196422.tif 000008
【図７】
2010196422.tif 000009
【図８】
2010196422.tif 000010